(57)【要約】【課題】ＨＤＤに記録されている視聴済みの番組を再生する場合、前回視聴した際の画像処理制御情報を記憶しておき、その画像処理制御情報を使用して同番組を再生することができるようにした。【解決手段】映像信号を受信する受信手段と、前記受信手段で受信した映像信号に所定の信号処理を施す信号処理手段と、前記信号処理手段から出力された映像信号を表示する表示手段と、前記信号処理手段から出力された映像信号を保存する記録再生装置と、前記受信手段で受信している番組の情報を抽出する番組情報抽出手段と、前記信号処理手段で施す信号処理を制御する、画像処理制御手段と、前記番組情報抽出手段で抽出した、初めて視聴する番組の情報と、前記画像処理制御手段で設定している画像処理制御情報とをリンクさせ、番組管理リストを作成する番組管理リスト設定手段と、を有する。【選択図】      図２
2007096603.tif 000002
【特許請求の範囲】
【請求項１】
映像信号を受信する受信手段と、
前記受信手段で受信した映像信号に所定の信号処理を施す信号処理手段と、
前記信号処理手段から出力された映像信号を表示する表示手段へ出力する映像信号出力手段と、
前記信号処理手段から出力された映像信号を記録媒体へ保存する記録再生装置と、
前記受信手段で受信している番組の情報を抽出する番組情報抽出手段と、
前記信号処理手段で施す信号処理を制御する画像処理制御手段と、
前記番組情報抽出手段で抽出した、初めて視聴する番組の情報と、前記画像処理制御手段で設定している画像処理制御情報とを対応付けた番組管理情報を記憶する番組管理情報設定手段と、
を有することを特徴とする映像表示装置。
【請求項２】
前記番組管理情報は、前記記録再生装置に保存されている番組を既に視聴したか否かの視聴フラグを含むことを特徴とする請求項１記載の映像表示装置。
【請求項３】
前記画像処理制御手段は、視聴済みの番組を再生する場合、前記番組管理情報から当該番組の画像処理制御情報を読み出し、自動的に画像処理の制御を行なうことを特徴とする請求項１記載の映像表示装置。
【請求項４】
操作入力手段をさらに有し、この手段は、前記信号処理手段で用いる画像処理制御情報を手動により変更することを特徴とする請求項１記載の映像表示装置。
【請求項５】
前記番組管理情報に記録される画像処理制御情報は、前記操作入力手段によって変更された場合に、新しい制御情報に更新されることを特徴とする請求項１記載の映像表示装置。
【請求項６】
画像処理制御情報一時保存手段をさらに有し、この手段は、視聴済みの番組が再生される場合、現在視聴している番組の画像処理制御情報を一時的に保存し、前記視聴済みの番組の再生が終了した後、前記一時保存した画像処理制御情報を前記画像処理理部に自動的に戻すことを特徴とする請求項１記載の映像表示装置。
【請求項７】
前記番組管理情報は、字幕及び又は音声の制御情報を含むことを特徴とする請求項１記載の映像表示装置。
【請求項８】
前記番組管理情報は、連続番組であることを示す連続フラグを含むことを特徴とする、請求項１記載の映像表示装置。
【請求項９】
さらに連続フラグ照会手段を有し、この手段は、連続番組が視聴される場合、前記連続番組の中で過去に視聴済みの番組のとき用いた画像処理制御情報に、前記画像処理部における画像処理情報を切り替えることを特徴とする請求項１記載の映像表示装置。
【請求項１０】
映像信号を受信する受信手段と、前記受信手段で受信した映像信号に所定の信号処理を施す信号処理手段と、前記信号処理手段から出力された映像信号を表示する表示手段と、前記信号処理手段から出力された映像信号を記録媒体へ保存する記録再生装置と、前記信号処理手段で施す信号処理を制御する画像処理制御手段と、動作を統括する制御部を有し、前記制御部の制御の元で番組の受信及び記録再生装置からの再生を行なう映像再生方法において、
前記受信手段で受信している番組の情報を抽出し、
前記番組情報抽出手段で抽出した初めて視聴する番組の情報と、前記画像処理制御手段で設定している画像処理制御情報とを対応付けた番組管理情報を記憶する、
ことを特徴とすることを特徴とする映像再生方法。
【請求項１１】
視聴済みの番組を再生する場合、前記番組管理情報から当該番組の画像処理制御情報を読み出し、自動的に画像処理の制御を行なうことを特徴とする請求項１０記載の映像再生方法。
【請求項１２】
前記信号処理手段で施す信号処理の画像処理制御情報は、操作入力手段を介して手動により変更することができることを特徴とする、請求項１０記載の映像再生方法。
【請求項１３】
前記番組管理情報に記録される画像処理制御情報は、変更される毎に、新しい制御情報に更新されるようにしたことを特徴とする請求項１０記載の映像再生方法。
【請求項１４】
視聴済みの番組を再生する場合、現在視聴している番組の画像処理制御情報を一時的に保存し、前記視聴済みの番組の再生終了後、一時保存した画像処理制御情報を画像処理部に戻すことを特徴とする、請求項１０記載の映像再生方法。
【請求項１５】
連続番組が視聴される場合、連続番組の中で過去に視聴済みの番組のときに用いた画像処理制御情報に、画像処理部の画像処理制御情報を切り替えることを特徴とする、請求項１０記載の映像再生方法。
【発明の詳細な説明】
【技術分野】
【０００１】
この発明は、映像表示装置及び映像再生方法に関するもので、特に視聴済みの番組を再度視聴する場合の、映像再生方法を改良したものである。
【背景技術】
【０００２】
周知のように近年では、テレビジョン放送のディジタル化が推進されてきている。例えば、日本国内においてはＢＳ（broadcasting satellite）ディジタル放送及び１１０度ＣＳ（communication satellite）ディジタル放送等の衛星ディジタル放送だけでなく、地上ディジタル放送も開始されている。
【０００３】
ディジタルテレビジョン放送においては、データが圧縮されるため、アナログテレビジョン放送に比べて、多チャンネル高画質なコンテンツ（番組）を放送することが可能である。近年ではＨＤＤの大容量化によりディジタルテレビジョン放送を記録する機能を備えたテレビジョン受像機もでてきている。
【０００４】
また、従来のテレビジョン受像機においては、様々な画質を設定することができる機能が付加されており、ユーザの好みに応じて、画質を調整することが可能となっている。しかし従来のテレビジョン受像機における画質の設定は、ユーザが表示されている映像を肉眼で確認しながら手動操作により行なっていた為、個々のソースに合わせて最適な画質になるよう調整する必要がありわずらわしかった。この為、番組の映像符号化情報に応じて、予め記憶されたパラメータ対応表に基づいて、信号処理を行なう映像表示装置及び映像再生方法がある（特許文献１参照）。
【特許文献１】特開２００１-３２６８７６公報
【発明の開示】
【発明が解決しようとする課題】
【０００５】
上記した技術では、ＨＤＤに記録されている番組を再生する際、視聴者がパラメータ対応表以外の設定で視聴したい場合、視聴済みの同じ番組でも再生する度にユーザが設定を変える必要があった。
【０００６】
そこで本発明は、ＨＤＤに記録されている視聴済みの番組を再生する場合、前回視聴した際の画像処理制御情報を記憶しておき、その画像処理制御情報を使用して同番組を再生することができる、映像表示装置及び映像再生方法を提供することを目的とする。
【０００７】
また、過去に視聴したことのある連続番組を視聴する場合、前回視聴した際の画像処理制御情報を記憶しておき、その画像処理制御情報を使用し連続番組を視聴することができる、映像表示装置及び映像再生方法を提供することを目的とする。
【課題を解決するための手段】
【０００８】
この発明に係る映像表示装置は、映像信号を受信する受信手段と、前記受信手段で受信した映像信号に所定の信号処理を施す信号処理手段と、前記信号処理手段から出力された映像信号を表示する表示手段へ出力する映像信号出力手段と、前記信号処理手段から出力された映像信号を記録媒体へ保存する記録再生装置と、前記受信手段で受信している番組の情報を抽出する番組情報抽出手段と、前記信号処理手段で施す信号処理を制御する画像処理制御手段と、前記番組情報抽出手段で抽出した、初めて視聴する番組の情報と、前記画像処理制御手段で設定している画像処理制御情報とを対応付けた番組管理情報を記憶する番組管理情報設定手段（１０９ｂ２）と、を有する。
【発明の効果】
【０００９】
上記の手段によると、視聴済みの番組を視聴する場合、前回視聴時にユーザが設定した表示設定を用いて番組を再生するので、簡便な操作でユーザの好みの表示設定で番組を視聴することができる。
【発明を実施するための最良の形態】
【００１０】
以下図面を参照しながらこの発明の実施の携帯を説明する。
【００１１】
図１には、この発明に係る映像表示装置１００の主要な信号処理を示している。アンテナ１０１で受信したディジタル放送信号は、チューナ１０２に供給される。チューナ１０２は、供給されたディジタル放送信号から制御部（ＣＰＵ）１０９の制御による所望のチャンネルの信号を選局し、ＴＳ（Transport Stream）信号をストリームバス１１４を介して信号処理手段１０４、ＨＤＤ記録再生手段１０８に出力する。また、番組抽出手段１０３は、チューナ１０２に供給されたディジタル放送信号より番組情報を抽出する。
【００１２】
上記信号処理手段１０４は、ＭＰＥＧデコード手段１０４ａと、映像処理手段１０４ｂを有している。ＭＰＥＧデコード手段１０４ａは、供給されたＴＳ信号をデコードし、映像処理手段１０４ｂへ出力する。映像処理手段１０４ｂは、供給されたＭＰＥＧデコード画像信号に、制御部（ＣＰＵ）１０９の制御による信号処理を施し、表示画像信号をＯＳＤ（Ｏn Screen Display）重畳手段１１５へ出力し、ＣＰＵ１０９の制御によりＯＳＤ画像を生成し、表示画像に重畳して表示（映像）信号出力手段１０５に供給する。表示信号出力手段１０５は、供給された表示画像信号を表示器へ出力する。
【００１３】
また、ストリームバス１１４に記録再生装置（ＨＤＤ）１０７が接続されている。ＨＤＤ１０７では、ＨＤＤ記録再生手段１０８によって、チューナ１０２から供給されたＴＳ信号の記録、及び記録されている番組の再生が行なわれる。またさらに、ＨＤＤ１０７には番組管理情報（以後、一例として番組管理リストと称する）が記録される。番組管理リストについては後で詳しく説明する。
【００１４】
ディジタル放送信号をそのまま視聴するときはチューナ１０２から出力されるＴＳ信号はストリームバス１１４を介し信号処理手段１０４に供給され、ディジタル放送信号をＨＤＤ１０７に記録するときはチューナ１０２から出力されるＴＳ信号はストリームバス１１４を介しＨＤＤ記録再生手段１０８に供給され、また、ＨＤＤ１０７に記録された番組の再生を行うときはＨＤＤ１０７から出力されるＴＳ信号はストリームバス１１４を介し信号処理手段１０４に供給されるようにストリームバス１１４は動作する。
【００１５】
制御バス１０６は、この映像表示装置１００内の各機能間における制御信号、及び符号化情報等を伝達している。
【００１６】
ここで、この映像表示装置１００は、上記した各種の受信動作を含む全ての動作を、ＣＰＵ１０９によって統括的に制御されている。ＣＰＵ１０９は、リモコン１１０によって送出された操作情報を、受光部１１１を介して受信したとき、その操作内容が装置に反映されるように各部をそれぞれ制御している。
【００１７】
本例では、番組管理リストはＨＤＤ１０７に記録されるとしたが、メモリＩ／Ｆ１１２を設けて、ＥＥＰＲＯＭ（Electronically Erasable and Programmable Read Only Memory)やＦＬＡＳＨメモリ等の不揮発性メモリで構成されたメモリ１１３内に記録する構成でもよい。
【００１８】
図２は、この発明において特徴となる、ＣＰＵ１０９の構成例を説明するブロック図である。
【００１９】
ＣＰＵ１０９は、受信している番組の情報を抽出する、番組情報抽出部１０９ａを有する。この番組情報抽出部１０９ａは、番組情報抽出手段制御部１０９ａ１を含む。番組情報抽出手段制御部１０９ａ１は、番組情報抽出手段１０３を制御し、番組情報を取得する。
【００２０】
また、ＣＰＵ１０９は、画像処理制御に関する、画像処理制御管理部１０９ｂを有する。この画像処理制御管理部１０９ｂは、図１の信号処理部１０４で施す信号処理を制御する、画像処理制御手段１０９ｂ１を有する。また、番組の情報と、その番組を初めて視聴する際に画像処理制御手段１０９ｂ１で設定した、画像処理制御情報とをリンクさせ、番組管理リストを作成する番組管理リスト設定手段１０９ｂ２を有する。さらに、ＨＤＤ１０７に記録されている視聴済みの番組を再生する場合、現在視聴している番組の画像処理制御情報を一時的に保存し、上記視聴済みの番組の再生終了後、一時保存した画像処理制御情報を呼び出し信号処理部１０４に設定することができる画像処理制御情報一時保存手段１０９ｂ３を有する。
【００２１】
さらにＣＰＵ１０９は、以下に述べるブロックを含む。ＨＤＤ記録再生手段制御部１０９ｃは、ＨＤＤ記録手段１０８の制御を行なう。また、操作入力手段１０９ｄは、リモコン１１０によって送出された操作情報を、受光部１１１を介して受信したとき、その操作内容が装置に反映されるように各部の制御を行なう。また、メモリ部１０９ｅを有する。このメモリ部１０９ｅは、ＣＰＵ１０９の作業領域であるバッファメモリ１０９ｅ１を含む。またさらに、報告処理部１０９ｆを有する。この報告処理部１０９ｆは、処理結果、番組情報等をＯＳＤ重畳手段１１５で表示画像に重畳し表示信号出力手段１０５を介して表示器に表示させることができるＯＳＤ処理手段１０９ｆ１を含む。ＯＳＤ重畳手段１１５でＯＳＤ映像を生成するための文字制御コードやアイコン画像等の選択等の制御を行う。
【００２２】
図３は、図１に示した、映像処理手段１０４ｂの構成例を示すブロック図である。今、映像処理手段１０４ｂにＭＰＥＧデコード手段１０４ａによってデコードされた、ＭＰＥＧデコード画像信号が入力されている。ノイズ除去手段１０４ｂ１は、供給されたＭＰＥＧデコード画像信号内に混入したノイズ信号を除去し、ＩＰ変換手段１０４ｂ２へ出力する。ＩＰ変換手段１０４ｂ２は、供給された画像信号が飛び越し走査（インタレース走査）方式の場合は順次走査（プログレッシブ走査）方式に変換し、プログレッシブ走査方式の場合はそのままの画像信号を水平垂直圧縮伸張変換手段１０４ｂ３に出力する。水平垂直圧縮伸張変換手段１０４ｂ３は、供給された画像信号の表示画格を変換し、画質調整手段１０４ｂ４に出力する。画質調整手段１０４ｂ４は、例えば画像信号の明るさ、コントラスト等の調整を行い、表示画像信号をＯＳＤ重畳手段１１５へ出力する。
【００２３】
ここで、図２に示した画像処理制御手段１０９ｂ１は、ノイズ除去手段１０４ｂ１のオン／オフ、水平垂直圧縮伸張変換手段１０４ｂ３の表示画格、画質調整手段１０４ｂ４の画質設定を、ユーザの操作入力に基づいて制御している。
【００２４】
図４（Ａ）〜図４（Ｃ）は、水平垂直圧縮伸張変換手段１０４ｂ３における表示画格の変換例を説明するための図である。図４（Ａ）は、画像の縦横比が４：３である番組１の画像信号が水平垂直圧縮伸張変換手段１０４ｂ３に供給された例である。入力された４：３画像信号（ａ）は、画格変換処理は行われずに（ノーマルモード）、（ｂ）に示すように１６：９の画面に表示される。画像領域の外側には、黒い帯が表示される。
【００２５】
図４（Ｂ）は、レターボックスである番組２の画像信号が水平垂直圧縮伸張変換手段１０４ｂ３に供給された例である。入力されたレターボックス画像信号（ａ）は、画像領域をズームし（ズームモード）、（ｂ）に示すように１６：９の画面いっぱいに表示される。図４（Ｃ）は、スクイーズである番組３の画像信号が水平垂直圧縮伸張変換手段１０４ｂ３に供給された例である。入力されたスクイーズ画像信号（ａ）は、画面いっぱいに伸張され（フルモード）、（ｂ）に示すように表示される。
【００２６】
図５は、本実施の形態における、番組管理リスト設定手段１０９ｂ２の動作を、具体例を用いて説明している図である。管理ＩＤは、その番組に割り当てられる認識情報である。また、視聴フラグは、その番組を既に視聴したかどうかということを示している。さらに、表示モード、ＮＲモード、明るさ、コントラストはそれぞれ、画像処理制御手段１０９ｂ１によって実行される画像処理制御の設定値を示している。
【００２７】
なお、画像処理制御情報は、大きくは２つに分かれる。１つは表示画格に関する情報、もう一つは画質調整に関する情報である。本発明の画像処理制御情報としては、図５に記載した表示モード（表示画格のモード）、ＮＲモード（ノイズリダクションのモード）、明るさ、コントラストの他、色相，彩度，シャープネスに関する情報等を用いることができる。
【００２８】
番組管理リスト（ａ）は、ユーザが現在、（管理ＩＤ００１）の行のドラマＡを視聴するという操作入力がされたことを示している。ユーザがドラマＡを初めて視聴する場合、視聴フラグは済に切り替わる。さらに、番組管理リスト（ｂ）の（管理ＩＤ００１）の行のように、現在設定されている画像処理制御情報がその番組の情報とリンクされ、番組管理リストへ記憶される。
【００２９】
図６は、本実施の形態における、画像処理制御管理部１０９ｂの具体的動作例を示すフローチャートである。今、ＨＤＤ１０７に記録されている番組を再生するという操作入力がされたとする（ステップＳＡ１）。番組管理リスト設定部１０９ｂ２は、ＨＤＤ１０７より番組管理リストを読み出し（ステップＳＡ２）、当該番組は、視聴済みであるかどうか判断を行なう（ステップＳＡ３）。視聴済みである場合、画像処理制御情報一時保存手段１０９ｂ３は、現在使用されている画像処理制御情報を一時的に記憶する（ステップＳＡ４）。画像処理制御手段１０９ｂ１は、番組管理リストより当該番組の画像処理制御情報を読み出し（ステップＳＡ５）、映像処理手段１０４ｂに設定する（ステップＳＡ６）。ＨＤＤ記録再生手段制御部１０９ｃは、当該番組を再生開始させる（ステップＳＡ７）。
【００３０】
番組視聴中、操作入力手段１０９ｄに画像処理制御情報の変更が入力された場合（ステップＳＡ８）、画像処理制御手段１０９ｂ１は変更後の画像処理制御情報を映像処理手段１０４ｂに設定する（ステップＳＡ９）。番組管理リスト設定手段１０９ｂ２は、番組管理リストの画像処理制御情報を、変更後の画像処理制御情報に更新する（ＳＡ１０）。ステップＳＡ８において、画像処理制御情報の変更が入力されない場合、ステップＳＡ１１に進む。ステップＳＡ１１において番組の再生が終了されない場合、ステップＳＡ８へループする。ステップＳＡ８からステップＳＡ１１の動作は、番組の再生が終了されるまでループする。
【００３１】
ステップＳＡ１１において番組の再生が終了された場合、画像処理制御手段１０９ｂ１は、画像処理制御情報一時保存手段１０９ｂ３によって一時保存された画像処理制御情報を呼び出し、映像処理手段１０４ｂに設定する（ステップＳＡ１２）。そして、作成された番組管理リストをＨＤＤ１０７に保存し（ステップＳＡ１３）、処理を終了する（ステップＳＡ１４）。
【００３２】
また、ステップＳＡ３において、再生する番組が視聴済みでない場合、番組管理リスト設定手段１０９ｂ２は、現在使用されている画像処理制御情報を、番組ＩＤとリンクさせ番組管理リストに記録し（ＳＡ１５）、視聴フラグを視聴済に変更する（ステップＳＡ１６）。ＨＤＤ記録再生手段制御部１０９ｃは、当該番組を再生開始させる（ステップＳＡ１７）。
【００３３】
ステップＳＡ１８においては、番組視聴中、ＭＰＥＧ信号内のモードフラグの変更又は、操作入力手段１０９ｄによる画像処理制御情報の変更入力がされないかを監視される。ステップＳＡ１８において、変更があった場合、画像処理制御手段１０９ｂ１は変更後の画像処理制御情報を映像処理手段１０４ｂに設定する（ステップＳＡ１９）。また、ステップＳＡ１８において、変更がない場合は、ステップＳＡ２０に進む。
【００３４】
ステップＳＡ２０においては、画像処理制御情報の変更入力がされてから一定時間経過したかどうか監視される（ステップＳＡ２０）。ステップＳＡ２０において一定時間経過した場合、番組管理リスト設定手段１０９ｂ２は、番組管理リストの画像処理制御情報を、変更後の画像処理制御情報に更新する（ＳＡ２１）。ステップＳＡ２０において一定時間経過していない場合、変更された画像処理制御情報は番組管理リストへ更新されずステップＳＡ２２に進む。ステップＳＡ２２で番組が終了されない場合、ステップＳＡ１８へループし、画像処理制御情報の変更を行なうことができる状態となる。ステップＳＡ１８からステップＳＡ２２の動作は、番組の再生が終了されるまでループする。
【００３５】
ステップＳＡ２２において番組の再生が終了された場合、作成された番組管理リストをＨＤＤ１０７に保存し（ステップＳＡ１３）、処理を終了する（ステップＳＡ１４）。
【００３６】
ここで、ステップＳＡ１２の一時保存された画像処理制御情報とは、ステップＳＡ４で一時保存した画像処理制御情報である。例えば、番組Ａを画像処理制御情報Ａで設定し視聴していた状態で、画像処理制御情報Ｂを使用する番組Ｂを再生するとする。この場合、画像処理制御情報一時保存手段１０９ｂ３は画像処理制御情報Ａを一時保存し、画像処理制御手段１０９ｂ１は番組Ｂ再生時に、画像処理制御情報Ｂを設定する。番組Ｂの再生終了後、画像処理制御手段１０９ｂ１は、画像処理制御情報一時保存手段１０９ｂ３が一時保存した画像処理制御情報Ａを呼び出し、設定する。
【００３７】
この発明は、上記の実施の形態に限定されるものではない。番組管理リストに連続番組であることを示す連続フラグを含め、図２に示したＣＰＵ１０９内の、画像処理制御管理部１０９ｂ内に、連続フラグ照会手段１０９ｂ４を追加する構成をとってもよい。
【００３８】
図７は、この発明の、他の実施の形態における、番組管理リスト設定手段１０９ｂ２の動作を、具体例を用いて説明している図である。ここで番組管理リストは連続フラグを含んでいる。
【００３９】
番組管理リスト（ａ）は、ユーザが現在ドラマＡ２を視聴するという操作入力がされたことを示している。ドラマＡ１、ドラマＡ２、ドラマＡ３は連続番組であることが、連続フラグよりわかる。ユーザは、連続番組であるドラマＡ２の他の回であるドラマＡ１を視聴済みであるので、番組管理リスト設定手段１０９ｂ２は、ドラマＡ１の画像処理制御情報を、ドラマＡ２の画像処理制御情報へコピーし、（ｂ）に示すようになる。また、ドラマＡ３を視聴する場合、同様にドラマＡ２の画像処理制御情報がコピーされ、ドラマＡ３の再生が行なわれる。しかし、ドラマＡ３再生中に画像処理制御情報が変更された場合、（ｃ）に示すように、ドラマＡ３の画像処理制御情報は変更後の情報に更新され、番組管理リストに記録される。
【００４０】
図８は、この発明の、他の実施の形態における、画像処理制御管理部１０９ｂの具体的動作例を示すフローチャートである。ここで画像処理制御管理部１０９ｂは、連続フラグ照会手段１０９ｂ４を含んでいる。なお、ステップＳＢ１からステップＳＢ１４は、図６に示したステップＳＡ１からステップＳＡ１４と同様である。また、ステップＳＢ１９からステップＳＢ２６は、図６に示したステップＳＡ１５からステップＳＡ２２と同様であるので、説明は省略する。
【００４１】
今、ＨＤＤ１０７に記録されている番組を再生するという操作入力がされたとする（ステップＳＢ１）。番組管理リスト設定部１０９ｂ２は、ＨＤＤ１０７より番組管理リストを読み出し（ステップＳＢ２）、当該番組は、視聴済みであるかどうか判断を行なう（ステップＳＢ３）。視聴済みでない場合、連続フラグ照会手段１０９ｂ４は、当該番組が連続番組で、過去に連続番組の中の１つでも視聴済みなものがないかどうか確認する（ステップＳＢ１５）。過去に連続番組を視聴したことがある場合、連続画像処理制御情報一時保存手段１０９ｂ３は、現在使用されている画像処理制御情報を一時的に記憶する（ステップＳＢ１６）。画像処理制御手段１０９ｂ１は、番組管理リストより当該番組の視聴フラグを視聴済みにし（ステップＳＢ１７）、過去に視聴した連続番組の画像処理制御情報を読み出し（ステップＳＢ１８）、映像処理手段１０４ｂに設定する（ステップＳＢ６）。これにより、過去に視聴した連続番組であれば、そのときの画像制御状態で視聴することができる。ＨＤＤ記録再生手段制御部１０９ｃは、当該番組を再生開始させる（ステップＳＢ７）。
【００４２】
ここで、過去に視聴した連続番組が複数ある場合、ステップＳＢ１８で読み出す画像処理制御情報は、更新日時の新しいものが使用される。
【００４３】
上記した実施の形態により、連続番組を視聴する際、番組管理リストに連続フラグの一致するものがあれば、未視聴の番組であってもユーザの好みの表示設定で番組を視聴することができる。
【００４４】
この発明は上記した実施の形態に限定されるものではない。本例では、番組管理リストは、画像処理制御情報を含むとしたが、さらに字幕制御情報、音声制御情報を含む構成にしてもよい。この場合、番組情報と、音声信号処理制御情報とをリンクさせ、音声信号処理制御手段によって出力される音声を制御することができる。この場合の音声信号処理制御情報としては、音量，イコライザによる制御情報等がある。さらに、番組情報と字幕制御情報とをリンクさせ、字幕制御手段によって表示手段に表示される字幕を制御することができる。この場合の字幕制御情報としては、字幕のオン／オフの設定情報等がある。
【００４５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４６】
【図１】図１は、この発明の実施の形態における、映像表示装置の信号処理系を示す図である。
【図２】図２は、この発明に係る特徴部の基本的要素を取り出して示すブロック図である。
【図３】図３は、図２で示した映像処理手段の構成例を示すブロック図である。
【図４】図４は、本発明に係る映像表示装置の、表示画格の変換例を示す説明図である。
【図５】図５は、この発明の実施の形態における、番組管理リストの構成例を示す説明図である。
【図６】図６は、この発明の実施の形態における、制御部の動作を示すフローチャートである。
【図７】図７は、この発明の他の実施の形態における、番組管理リストの構成例を示す説明図である。
【図８】図８は、この発明の他の実施の形態における、制御部の動作を示すフローチャートである。
【符号の説明】
【００４７】
１００…映像表示装置、１０１…アンテナ、１０２…チューナ、１０３…番組情報抽出手段、１０４…信号処理手段、１０５…表示信号（映像信号）出力手段、１０６…メインバス、１０７…ＨＤＤ、１０８…ＨＤＤ記録再生手段、１０９…制御部、１１０…リモコン、１１１…受光部、１１２…メモリＩ／Ｆ、１１３…メモリ。
【図１】
2007096603.tif 000003
【図２】
2007096603.tif 000004
【図３】
2007096603.tif 000005
【図４】
2007096603.tif 000006
【図５】
2007096603.tif 000007
【図６】
2007096603.tif 000008
【図７】
2007096603.tif 000009
【図８】
2007096603.tif 000010